(57)【要約】【課題】プラズマディスプレイパネル表示装置のように、蛍光体の発光現象を利用して画像を表示させる画像表示装置において、部分表示モードから全画面表示モードへの切り替えの際に、焼き付きによる輝度差を、簡単に、かつオンタイムで抑制することができる画像表示装置を提供する。【解決手段】部分表示モード時に表示部の表示／非表示領域の画素位置情報を検出・記憶し、また、当該部分表示モード時の表示時間を計測し、当該計測された部分表示時間より補正データ値を決定する。そして、上記画素位置情報と上記補正データ値より表示部に送信される映像表示信号の輝度レベルを補正する。【選択図】　　　　図１
2004144819.tif 000002
【特許請求の範囲】
【請求項１】
表示画面全面に画像を表示する全画面表示モードと、前記表示画面に画像を表示している表示領域と画像を表示していない非表示領域とを有する部分表示モードとを切り替え可能で、蛍光体による発光現象を利用した画像表示装置において、
前記部分表示モードで前記表示部に画像が表示される時間を計測する部分表示時間計時部と、
前記部分表示時間計時部で計測される部分表示時間に対応付けられた補正データ値を記憶しているデータ記憶部と、
前記部分表示モードから前記全画面表示モードに切り替えた際に、前記補正データ値に基づいて、前記表示画面に表示させる映像表示信号の輝度レベルを、前記表示領域と前記非表示領域との間で補正するレベル補正部とを、
備えることを特徴とする画像表示装置。
【請求項２】
前記部分表示モードにおいて、前記表示領域および前記非表示領域の画素位置情報を検出し、当該領域の少なくとも一方の画素位置情報を記録する検出記憶部を、さらに備え、
前記レベル補正部は、
前記部分表示モードから前記全画面表示モードに切り替えた際に、前記画素位置情報に基づいて、前記表示画面に表示させる映像表示信号の輝度レベルを補正すべき領域を認識して補正する、
ことを特徴とする請求項１に記載の画像表示装置。
【請求項３】
前記表示画面に画像が表示される累積表示時間を計測する累積表示時間計時部を、さらに備えており、
前記データ記憶部には、前記部分表示時間と前記累積表示時間とに対応付けられた補正データ値が記憶されている、
ことを特徴とする請求項１または請求項２に記載の画像表示装置。
【請求項４】
前記データ記憶部に記憶される補正データ値は、赤・緑・青のそれぞれの色毎に対応したデータ値である、
ことを特徴とする請求項１ないし請求項３のいずれかに記載の画像表示装置。
【請求項５】
前記データ記憶部に記憶される補正データ値は、青の色に対応するデータ値である、
ことを特徴とする請求項１ないし請求項３のいずれかに記載の画像表示装置。
【請求項６】
前記レベル補正部は、前記部分表示モード時に前記表示領域であった箇所に該当する前記映像表示信号の輝度レベルを上昇させる補正をする、
ことを特徴とする請求項１ないし請求項５のいずれかに記載の画像表示装置。
【請求項７】
前記レベル補正部は、前記部分表示モード時に前記非表示領域であった箇所に該当する前記映像表示信号の輝度レベルを減少させる補正をする、
ことを特徴とする請求項１ないし請求項６のいずれかに記載の画像表示装置。
【発明の詳細な説明】
【０００１】
【発明の属する技術分野】
この発明は、画像表示装置に係る発明であって、特に、焼き付き防止機能を有する画像表示装置に関するものである。
【０００２】
【従来の技術】
近年、薄型の平面表示装置としてプラズマディスプレイパネル表示装置が普及しつつある。プラズマディスプレイ装置は、ブラウン管ＴＶと同様に、蛍光体の発光を利用して映像を表示しているため、表示内容や表示時間に応じて画面に輝度差が発生しやすい。この輝度差は、焼き付きにより蛍光体の輝度特性が劣化することにより生じる。また、輝度差は高輝度であるほど顕著であり、かつ、同じ画面を長時間表示した場合にはその表示時間に比例して進行する。
【０００３】
ところで通常、ワイド画面のディスプレイをワイド表示する場合や、４：３のディスプレイで４：３表示を行う場合には、動画であればそれほど問題となるレベルの焼き付きは発生しないが、以前に表示していたモードが非表示部分を有する部分表示モード（ワイド画面ディスプレイでの４：３表示や、４：３画面ディスプレイでのワイド表示）から、全画面表示となる全画面表示モードへと切り替えた場合に、部分表示モードで非表示部分であった部分と部分表示モードで表示部分であった部分との間で、焼き付き現象の差が顕著になるという問題があった。
【０００４】
この問題を解決するために、所定の時間、表示部に全面白画面を表示する方法や、メンテナンス時に焼き付き画面と反転した画面を表示することで焼き付を防止する方法（例えば、特許文献１参照）等が提案されている。
【０００５】
【特許文献１】
特開２００１−２２８８４６号公報（第３項、第５図、および第４−８項、第１図等）
【０００６】
【発明が解決しようとする課題】
しかし、所定の時間、表示部に全面白画面を表示する方法は、無用の白画面を長時間表示し続ける必要があり、無駄な消費電力を要し経済的ではない。また、表示時間が長くなればなるほど蛍光体の劣化進行度は減少するので、全面白画面を表示することで輝度差は縮小はするが、蛍光体の劣化がそれほど進んでいない箇所と共に、蛍光体の劣化が進んでいる箇所に対しても同じ度合いだけ蛍光体の劣化を進めることとなるという問題が生じている。
【０００７】
また、メンテナンス時に焼き付き画面と反転した画面を表示することで焼き付を防止する方法においても、長時間のメンテナンス時間の必要性と、無用な画像を表示し続ける必要性とがあり、無駄な消費電力を必要とし経済的ではない。
【０００８】
そこで、この発明は、部分画面表示時の焼き付き現象により、全画面表示に切り替える際に生ずる輝度差を補正する画像表示装置であって、当該補正のために無駄な消費電力と時間を費やすことのない、輝度差補正機能を有する画像表示装置を提供することを目的とする。
【０００９】
【課題を解決するための手段】
上記の目的を達成するために、本発明に係る請求項１に記載の画像表示装置は、表示画面全面に画像を表示する全画面表示モードと、前記表示画面に画像を表示している表示領域と画像を表示していない非表示領域とを有する部分表示モードとを切り替え可能で、蛍光体による発光現象を利用した画像表示装置において、前記部分表示モードで前記表示部に画像が表示される時間を計測する部分表示時間計時部と、前記部分表示時間計時部で計測される部分表示時間に対応付けられた補正データ値を記憶しているデータ記憶部と、前記部分表示モードから前記全画面表示モードに切り替えた際に、前記補正データ値に基づいて、前記表示画面に表示させる映像表示信号の輝度レベルを、前記表示領域と前記非表示領域との間で補正するレベル補正部とを備えている。
【００１０】
【発明の実施の形態】
以下、この発明をその実施の形態を示す図面に基づいて具体的に説明する。なお、本実施の形態では、本発明の画像表示装置として、表示画面が１６：９のワイド画面プラズマディスプレイ（以下、ＰＤＰ装置とする）である場合を例にとって説明する。
【００１１】
図１は、本発明の一実施例を説明するための、ＰＤＰ装置の概略を表す回路ブロック図である。
【００１２】
図１において、入力信号処理部２では、入力切換により選択された入力端子から入力されてくる入力信号１を受けて、当該入力信号１に対して、色復調、色分離等の信号処理を行うことにより、入力信号１をＲ・Ｇ・Ｂそれぞれの信号に分離・変換する。ここで、入力信号１は、コンポジット映像信号、輝度信号と色信号とに分離されたＹ／Ｃ映像信号、Ｙ／Ｐｂ／ＰｒやＹ／Ｃｂ／Ｃｒのコンポーネント映像信号およびパソコンなどからのＲ・Ｇ・Ｂ映像信号等であり、入力切換により選択的に入力信号処理部２に入力される。
【００１３】
また、表示信号処理部３では、入力信号処理部２で処理された信号を受けて、当該信号をＰＤＰ装置の表示部１０に表示するために信号変換（画素数変換、リフレッシュレート変換およびＩＰ変換等）する。さらに、当該表示信号処理部３では、表示モードに対応した信号変換も同時に行われている。
【００１４】
表示モードには、全画面表示モードと部分表示モードとがあり、全画面表示モードとは、例えばワイド画面において、ハイビジョン映像を表示するために全画面表示したり、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）映像を拡大して全画面表示したりするモードのことである。また、部分表示モードとは、例えばワイド画面において、ＮＴＳＣ映像を表示するために４：３の部分表示をしたり、ハイビジョン映像を縮小して４：３の部分表示をしたりするモードのことである。
【００１５】
また、表示／非表示検出記憶部４では、例えば、表示信号処理部３での表示モード変換により部分表示モード（今の場合ワイド画面を考えているので、当該ワイド画面における４：３表示）となったときのワイド画面である表示部１０における、表示されている領域と表示されない領域の画素位置の情報を検出・記憶する。当該画素位置情報は、焼き付き現象による輝度差の補正時に、表示部１０に送信される映像表示信号に対して、補正を行うべき箇所を特定するめに必要となる。
【００１６】
また制御部５は、ＰＤＰ装置を制御するためのマイクロプロセッサ等により構成されており、装置全体の制御を統括している。制御部５には、表示／非表示検出記憶部４、レベル補正部６、データ記憶部７、累積表示時間計時部８および部分表示時間計時部９等が接続されている。
【００１７】
ここで、レベル補正部６は、表示部１０に送信される映像表示信号のレベルを画面の焼き付き具合に応じて補正させるための回路であり、表示／非表示検出記憶部４に記憶されている画素位置情報と、データ記憶部７に予め準備され、記憶されている補正データ値とに基づいて表示信号のレベルを補正する。
【００１８】
データ記憶部７は、累積表示時間計時部８で計測される累積表示時間と部分表示時間計時部９で計測される部分表示時間とから決定される、輝度の劣化具合に対応して映像表示信号のレベルの補正すべき量を表す補正データ値を、各色（Ｒ／Ｇ／Ｂ）毎にテーブルデータとして記録させるための装置である。
【００１９】
ここで、補正データ値は、例えば以下の要領により決定される。
【００２０】
図２（ａ）は、累積表示時間に関する輝度の劣化具合を表すグラフである。横軸が累積表示時間であり、縦軸が劣化の度合いを表している（劣化が進むほど「０」に近づく）。
【００２１】
また、図２（ｂ）は、部分表示時間に関する輝度の劣化具体を表すグラフである。横軸が部分表示時間であり、縦軸が劣化の度合いを表している（劣化が進むほど「０」に近づく）。
【００２２】
図２（ｂ）には、実線の曲線と複数の点線の曲線とが描かれているが、累積表示時間が決まれば、前記曲線のうち一つの曲線が選ばれ、当該選ばれた曲線と図２（ａ）に示す曲線とに基づいて補正データ値を特定する。なお、当該曲線の選択は、累積表示時間が増加すればするほど、より上方に位置する曲線が選択されることとなる。
【００２３】
このことは、輝度劣化特性は、累積表示時間と部分表示時間との関数として表されることを意味している。しかし、累積表示時間による輝度劣化特性の寄与は、それほど大きくないと考えられるので、累積表示時間に依らず、部分表示時間のみで補正データ値を特定することもできる。
【００２４】
このときは、図２（ｂ）の実線の曲線（複数の曲線の平均的な曲線）だけを用いて、累積表示時間に依らず、当該曲線のみで補正データ値を特定する。
【００２５】
次に、累積表示時間計時部８は、ＰＤＰ装置の通電時間を累積で計測・記憶する装置であり、累積表示時間計時部８での計測は、ＰＤＰ装置の電源がＯＮされている累積時間、つまり表示部１０における累積通電時間（より具体的に、表示部１０に何らかの画像が表示されている累積時間）を測定するものである。なお、累積時間は電源をＯＦＦしてもリセットされることはなく、電源のＯＮを契機として、累積計測される。
【００２６】
当該計測は、累積表示時間により図２（ａ）で示した傾向で輝度が劣化するため、焼き付き現象による輝度差の補正時に当該累積表示時間が必要となるので、実行される。
【００２７】
また、部分表示時間計時部９は、部分表示モードにより部分表示画面を表示している間の時間を計測・記憶する装置であり、本実施の形態では全画面表示から４：３表示に切り替えられてからの時間を計測・記憶する。
【００２８】
部分表示計時部９での計時は、４：３表示がされている期間の時間を測定するものであり、全画面表示モードに切り替わり、制御部５が当該時間を読み取った後に、前回の４：３表示時間はリセットされる。ここで、部分表示時間計時部９の計測時間をリセットさせる方法として、上記とは別に、全画面表示モードから次回の４：３表示モードに切り替わる際に、前回の４：３表示時間をリセットするものとしても良い。
【００２９】
当該計測は、４：３表示から全画面表示に切り替わったときに、それまでの４：３表示時間により図２（ｂ）のいずれかの曲線で示した傾向で輝度が劣化するため、焼き付き現象による輝度差の補正時に４：３表示時間が必要となるので、実行される。
【００３０】
上記各回路部と接続関係にある制御部５では、以下に示す補正制御が行われる。
【００３１】
制御部５では、累積表示時間計時部８および部分表示時間計時部９の計測の開始や停止、および部分表示時間計時部９のリセット制御も行う。
【００３２】
さらには、累積表示時間計時部８および部分表示時間計時部９において計測・記憶されている時間、および表示／非表示検出記憶部４に記憶されている画素位置情報を読み出し、当該読み出した時間に基づいて、データ記憶部７から予め準備されている表示部１０の焼き付き具合に対応した補正データ値を読み出す。
【００３３】
さらに、上記で読み出された、補正データ値および画素位置情報に基づいてレベル補正部６を制御し、全面表示に切り替わった際の表示部１０に送信される映像表示信号のレベルの補正を行う。
【００３４】
次に、焼き付きによる輝度差補正機能を備える本発明のＰＤＰ装置の各特徴的な処理動作の流れを、図３，４，５に示す各フローチャートに基づいて具体的に説明する。
【００３５】
ここで、図３は、ＰＤＰ装置の電源をＯＮにしてから所定の選択されたモードを表示するまでの当該ＰＤＰ装置の処理動作を示すフローチャートであり、図４は、部分表示モードが選択された場合の当該ＰＤＰ装置の処理動作を示すフローチャートであり、図５は、部分表示モードから全画面表示モードへと表示モードの切り替えが実行された場合の当該ＰＤＰ装置の処理動作を示すフローチャートである。
【００３６】
なお、本発明では赤・緑・青の全ての色に対して適性に補正することは可能であるが、ここでは説明を簡単にするために、最も焼き付き現象の影響を受ける青の単色画像を例にとって説明する。
【００３７】
まずはじめに、ＰＤＰ装置の電源をＯＮにする（図３のステップＳ１）。
【００３８】
そうすると、入力切換により選択された入力端子から入力信号１が入力信号処理部２へ入力され、当該入力信号処理部２において、当該入力信号１の色復調、色分離等の信号処理を行うことにより、入力信号１は「青」信号に変換される（図３のステップＳ２）。
【００３９】
ステップＳ２後に、入力信号処理部２で変換された「青」信号は、表示信号処理部３に入力され、画素数変換等の信号変換と伴に、選択された表示モードに対応した信号の変換も行われ、映像表示信号が生成される（図３のステップＳ３）。
【００４０】
そして、次にステップＳ３で生成された映像表示信号により、表示部１０にて、選択された表示モードでの画像表示がされ（図３のステップＳ４）、累積表示時間計時部８が累積表示時間の計測・記憶をし始める（図３のステップＳ５）。
【００４１】
ここで、累積表示時間計時８での累積表示時間の計測は、ＰＤＰ装置の電源ＯＮ操作を機にステップＳ１直後に始めても良い。
【００４２】
さて次に、選択された表示モードが部分表示モードある場合のＰＤＰ装置の処理動作について説明する。
【００４３】
ユーザの操作により４：３表示の部分表示モードが選択されると（図４のステップＳ１０）、ワイド画面である表示部１０にて、図６に示すような４：３表示の「青」の単色画像が表示される（図４のステップＳ１１）。
【００４４】
そして、表示部１０にて４：３表示がされると、部分表示時間計時部９にて部分表示時間の計測・記憶を行う（図４のステップＳ１２）。
【００４５】
ここで、図６において、２０は「青」の画像が表示されている表示領域であり、２１は画像が表示されない黒画面となる非表示領域である。また図７は、図６で示した映像を表示するための映像表示信号である。ここで、図７に示した映像表示信号には、実際には同期信号は含まれていないが説明を簡単にするために（つまり、画像領域の範囲を明確にするために）、同期信号と映像信号とを合成した形で示している。また図７において、符号１１は、表示部１０に送信される信号レベルの大きさを示している。
【００４６】
またステップＳ１１の後に、ステップＳ１２と並行して、表示／非表示検出記憶部４では、４：３表示となったときのワイド画面である表示部１０において、画像が表示されている表示領域２０と、画像が表示されていない非表示領域２１との画素位置の情報をそれぞれ検出・記憶する（図４のステップＳ１３）。
【００４７】
具体的には、非表示領域とは「黒」の映像領域であり、これは、図７で示すところの映像表示信号の表示レベルが黒レベルの箇所である。したがって、映像表示信号の信号レベルが黒レベルの部分と、それ以外のレベルを有する部分とを検出することにより、対応する表示部１０の表示部・非表示部とを検出し、当該位置情報を記憶する。
【００４８】
ここで、画素位置情報として図６の表示領域２０、非表示領域２１のどちらか一方の画素位置情報のみを記憶するものであっても良い。
【００４９】
さて次に、ユーザが表示モードを、部分表示モードから全画面表示モードに切り替えた場合について説明する。
【００５０】
ここで、部分表示モードの間に起こった焼き付き現象に対して輝度差の補正がなされないなら、図８に示す「青」の単色からなる映像表示信号に基づいて、図９に示すような青単色による全画面表示が表示される。なお、図７，８から分かるように、部分表示モードから全画面表示モードへと切り替えられることにより、表示信号処理部３にて映像表示信号の幅が拡大変換される。
【００５１】
補正処理が行われないと、図９に示すように、中央部（先程まで４：３表示で画像が表示されていた領域）２２の輝度が焼き付きにより、周辺部（先程まで４：３表示で画像が非表示であった領域）２３の輝度より低くなってしまう。つまり、輝度差の大きい不均一な全画面表示がされるのである。これを信号レベルで見ると、図８で示したように中央部２２の輝度レベルが符号１２の分だけ小さくなった場合と同等であると考えられる。
【００５２】
そこで、本発明に係る画像表示装置では、ユーザが表示モードを部分表示モードから全画面表示モードに切り替えた場合には、制御部５の統率により、以下に示す補正処理を行い不均一な全画面表示を均一に補正する。
【００５３】
ユーザが、表示モードを部分表示モードから全画面表示モードに切り替えると（図５のステップＳ２０）、制御部５は、まず累積表示時間計時部８により計測された累積表示時間Ｔと、部分表示時間計時部９により計測された部分表示時間ｔとを読みに行く（図５のステップＳ２１）。
【００５４】
次に制御部５は、データ記憶部７に時間Ｔ，ｔと対応付けて予め記憶されているテーブルデータ（すなわち、上記時間Ｔ，ｔより図９の周辺部２３の下げるべき輝度の補正データ値）を読み取る（図５ステップＳ２２）。
【００５５】
ここで、輝度劣化特性は、累積表示時間の関数と部分表示時間の関数とで表すことができる特性である。したがって、毎回補正のたびに累積表示時間Ｔと部分表示時間ｔとの値を読み取り、オンタイムで演算計算して必要な補正データ値を割り出しても良い。しかし、本発明の構成のようにデータ記憶部７を設け、予め、累積表示時間Ｔ、部分表示時間ｔおよび補正データ値からなるテーブルデータを作成しておき、当該テーブルデータをデータ記憶部７に記憶しておくことにより、補正に要する時間を短縮することができる。
【００５６】
また、システムを簡素化するために最も輝度劣化の顕著な「青」についてのみテーブルデータをデータ記憶部７に記憶しておいても良いが、実際には輝度劣化特性は各色により異なるので、テーブルデータとして３種類（Ｒ／Ｇ／Ｂ）に対応するものを用意しておいても良い。３種類のテーブルデータを用意しデータ記憶部７に予め記憶しておくことにより、輝度補正をより正確に行うことができる。
【００５７】
さて話を補正処理動作に戻す。
【００５８】
制御部５は、ステップＳ２１，２２処理と並行して、表示／非表示検出記憶部４に記憶されている、前回の部分表示（図６の４：３表示）モードでの表示領域２０と非表示領域２１との画素位置情報を読み取り、補正すべき領域を認識する（図５のステップＳ２３）。
【００５９】
次に、制御部５は、上記の補正データ値（映像表示信号レベルの高低の補正すべき量）と画素位置情報（映像表示信号に対する補正箇所の特定に必要）に基づいて、レベル補正部６に映像表示信号のレベル補正を実行させる（図５のステップＳ２４）。
【００６０】
具体的に、図１０に示すような映像表示信号のレベル補正、つまり表示部１０の周辺部（部分表示モード時における黒の非表示領域）の輝度を下げる補正を行う。当該補正は、画素位置情報から補正すべき映像表示信号の位置（今の場合では、表示部１０の周辺部）を特定し、当該位置の映像表示信号のレベルを補正データ値に基づいて減衰させる（今の場合、レベル１１からレベル１３だけ減衰させる）。ここで、レベル１３の高さは、図８で示したレベル１２の高さと同じである。
【００６１】
最後に、図１０に示す補正された映像表示信号を表示部１０に送信することにより、周辺部の輝度は中央部の劣化に相当した分だけ暗くなり、図１１に示すように、輝度差の抑制された均一な「青」単色の全画面表示を可能とすることができる（図５のステップＳ２５）。
【００６２】
以上が、部分表示モードから全画面表示モードに切り替わった場合の本発明の画像表示装置による輝度差の補正動作である。
【００６３】
なお、表示モードを全画面表示から部分表示へと切り替えた場合は、補正動作は行わず、部分表示をする。
【００６４】
本発明では、部分表示モードから全画面表示モードに切り替える際に焼き付き現象により輝度差が生じても、輝度補正の対象となる映像表示信号の箇所を表示／非表示検出記憶部４で検出・記憶している情報から特定し、補正すべき映像表示信号のレベル量を累積表示時間計時部８と部分表示時間計時部９とから計測される累積表示時間と部分表示時間とにより特定し、レベル補正部６にて映像表示信号を上記の結果に基づいて補正することにより、全画面表示となっても焼き付き現象により生じる輝度差を抑制された画像を表示させることができる。なお、上記でも説明したように、補正すべき映像表示信号のレベル量は、累積表示時間と部分表示時間とからデータ記憶部７に記憶されているテーブルデータを参照し、補正値レベルを特定することにより決定される。
【００６５】
これに加え、本発明の画像表示装置を用いることにより、表示部１０に補正用の画像を表示したり、ましてや、補正用の画像を長時間、表示し続ける必要もなく、部分表示モードから全画面表示モードへと表示モードの切り替えを行うだけで、当該輝度差の補正処理が実行され、輝度差の抑制された全画面表示映像を見ることができる。
【００６６】
なお、上記の説明では、部分表示モードの際の表示領域の蛍光体の劣化に合わせて、非表示領域の映像表示信号レベルを下げることにより、全画面表示モードの際の輝度差の抑制を図った。しかし、別の補正動作として、部分表示モードの際の表示領域の蛍光体の劣化した度合いに合わせて、当該表示領域の映像表示信号レベルを上げることにより、全画面表示モードの際の輝度差の抑制を図ることもできる。
【００６７】
つまり、表示／非表示検出記憶部４に記憶されている画素位置情報を基に、補正すべき領域（今の場合、図６の２０の領域）を特定し、データ記憶部７から読み出した補正データ値に応じて、制御部５の指示によりレベル補正部６にて、当該領域に該当する映像表示信号のレベルを上昇させる。当該補正された映像表示信号の様子を図１２に示す。
【００６８】
図１２が示すように、蛍光体の劣化による輝度の減少量（図８のレベル１２の高さ分）に合わせて、補正すべき領域の映像表示信号のレベルをレベル１４まで上昇させる。当該補正動作により、輝度差の抑制された全画面表示を表示させることができる。ここで、レベル１４の高さは図８で示したレベル１２の高さと同等の高さである。
【００６９】
ところで、上述した映像表示信号レベルを上昇させる補正動作では、装置の使用初期段階において映像表示信号の最高輝度レベル（第一の輝度レベル）の設定を、装置で可能な最大輝度（第二の輝度レベル）より低く設定する必要がある（つまり、第二の輝度レベル＞第一の輝度レベル）。このようにすることで、第二の輝度レベルから第一の輝度レベルに輝度レベルを下げた分のレベル上昇補正が可能となる。つまり、（第二の輝度レベル）−（第一の輝度レベル）＝（差分レベル）分の範囲での輝度レベルの上昇補正は可能となる。
【００７０】
しかし、「差分のレベル」以上に、部分表示モードにおける表示領域と非表示領域との蛍光体の劣化度合いの差が増加すると、レベルの上昇による補正だけでは輝度差の補正を抑制しきれなくなる。
【００７１】
そこで、最初の補正動作、つまり非表示領域に該当する映像表示信号の輝度レベルを減少させる補正動作と組み合わせることにより、長期に渡り焼き付き現象による全画面表示における輝度差を抑制し続けることができる。
【００７２】
なお、画像表示装置の簡素化のために、本発明において累積表示時間計時部８を無くして、部分表示時間計時部９と、当該部分表示時間計時部９の計測による部分表示時間から決められる補正データ値を要素とするテーブルデータを記憶したデータ記憶部７とでも、或る程度の輝度差の補正を抑制することができる。
【００７３】
これは、上記で説明したように輝度劣化特性は、累積表示時間の関数と部分表示時間の関数とで表されるが、部分表示時間の関数の当該輝度劣化特性への寄与の方が、累積表示時間の関数の当該輝度劣化特性への寄与よりも大きいからである。
【００７４】
しかし、上記でも説明したように蛍光体の輝度劣化特性（または、これに対応する補正データ値）は、正確には累積表示時間と部分表示時間とで決定されるものであるので、当該二つの時間変数により補正データ値を特定した方がより精度の高い補正を行うことができる。
【００７５】
また、本実施の形態では、ＰＤＰ装置のワイド画面における４：３表示から全画面表示に切り替わる際の補正について説明したが、これに限らず、部分表示モードと全画面表示モードを有する、蛍光体による発光現象を利用した画像表示装置全般に対して適用できることは言うまでもない。
【００７６】
【発明の効果】
本発明の請求項１に記載の画像表示装置は、表示画面全面に画像を表示する全画面表示モードと、前記表示画面に画像を表示している表示領域と画像を表示していない非表示領域とを有する部分表示モードとを切り替え可能で、蛍光体による発光現象を利用した画像表示装置において、前記部分表示モードで前記表示部に画像が表示される時間を計測する部分表示時間計時部と、前記部分表示時間計時部で計測される部分表示時間に対応付けられた補正データ値を記憶しているデータ記憶部と、前記部分表示モードから前記全画面表示モードに切り替えた際に、前記補正データ値に基づいて、前記表示画面に表示させる映像表示信号の輝度レベルを、前記表示領域と前記非表示領域との間で補正するレベル補正部とを、備えているので、部分表示モードの際の焼き付き現象により輝度差が生じても、部分表示モードの時に、補正すべき映像表示信号のレベル量を部分表示時間計時部から計測される部分表示時間から決定されるデータ記憶部に記憶されている補正データ値により特定しておき、部分表示モードから全画面表示モードに切り替えた際に、レベル補正部にて映像表示信号を上記の結果に基づいて補正することができ、全画面表示となっても焼き付き現象により生じる輝度差を抑制された画像を表示させることができる。さらに、本発明の画像表示装置を用いることにより、補正用の表示部に画像を表示したり、ましてや、補正用の画像を長時間表示する必要もなく、輝度差の抑制された希望の全画面表示映像を見ることができる。
【図面の簡単な説明】
【図１】本発明の画像表示装置の内部構成を示すブロック図である。
【図２】表示時間と蛍光体の輝度劣化特性との関係を示した図である。
【図３】本発明の画像表示装置の補正動作の手順を示すフローチャートである。
【図４】本発明の画像表示装置の補正動作の手順を示すフローチャートである。
【図５】本発明の画像表示装置の補正動作の手順を示すフローチャートである。
【図６】ワイド画面における部分表示モードで表示された画像の様子を示す図である。
【図７】部分表示モードに対応した映像表示信号の波形を示す図である。
【図８】全画面表示モードに対応した補正前の映像表示信号の波形を示す図である。
【図９】焼き付き現象により生ずる輝度差の補正をしなかった場合の全画面表示モードで表示された単色画像の様子を示す図である。
【図１０】全画面表示モードに対応した補正後の映像表示信号の波形を示す図である。
【図１１】輝度差の補正処理を行った場合の全画面表示モードで表示された単色画像の様子を示す図である。
【図１２】全画面表示モードに対応した補正後の映像表示信号の波形を示す図である。
【符号の説明】
１　入力信号、２　入力信号処理部、３　表示信号処理部、４　表示／非表示検出記憶部、５　制御部、６　レベル補正部、７　データ記憶部、８　累積表示時間計時部、９　部分表示時間計時部、１０　表示部、１１，１２，１３，１４信号レベル、２０　表示領域、２１　非表示領域、２２　中央部、２３　周辺部。
【図１】
2004144819.tif 000003
【図２】
2004144819.tif 000004
【図３】
2004144819.tif 000005
【図４】
2004144819.tif 000006
【図５】
2004144819.tif 000007
【図６】
2004144819.tif 000008
【図７】
2004144819.tif 000009
【図８】
2004144819.tif 000010
【図９】
2004144819.tif 000011
【図１０】
2004144819.tif 000012
【図１１】
2004144819.tif 000013
【図１２】
2004144819.tif 000014